(57)【要約】本発明は、回転可能ディスプレイスクリーンを有する携帯電話機を開示しており、この携帯電話機は、本体（１１）及びディスプレイスクリーン（１２）を備えており、このディスプレイスクリーン（１２）は、取り付け手段を介して、本体（１１）に取り付けられており、ディスプレイの映写面は、取り付け手段が回転軸として機能する際、本体に相対して平行に移動可能である。本発明の回転可能ディスプレイスクリーンを有する携帯電話機は、最も快適な幅で物体を保持すべく、手掌で保持する親指及びその他の指で形成される幅を作り出し、ユーザーの保持習慣を満足させることが可能である。また、ディスプレイの回転は、垂直方向のサイズよりも水平方向のサイズを大きくすることが可能であり、このことにより、ユーザーの鑑賞習慣を満足させることになる。
2005500787.tif 000002
【特許請求の範囲】
【請求項１】
回転可能なディスプレイスクリーンを有する携帯電話機であって、本体及びディスプレイスクリーンを備え、前記ディスプレイスクリーンは、取り付け手段を介して、前記本体に取り付けられており、前記ディスプレイの映写面は、前記ディスプレイスクリーンの回転軸として機能する前記取り付け手段を以て、前記本体に相対して平行に回転可能であることを特徴とする携帯電話機。
【請求項２】
前記ディスプレイスクリーンの背部に、押出シリンダー（２０）が存在し、前記ディスプレイの縦方向に溝（２２）が存在し、前記本体の上部部分に、固定カードを保持する垂直フルート（２４）の上に凹面円形ホール（２３）が存在し、前記取り付け手段は、前記ディスプレイスクリーンの前記シリンダー（２０）を前記凹面円形ホール（２３）に挿入することにより形成されることを特徴とする請求項１に記載の携帯電話機。
【請求項３】
前記シリンダー（２０）の横にホール（２１）が存在し、前記ディスプレイスクリーンは、該ホールを介して、前記本体の各システムに取り付けられていることを特徴とする請求項２に記載の携帯電話機。
【請求項４】
前記本体上で、異なるサイズの前記ディスプレイスクリーンを交換可能であることを特徴とする請求項１に記載の携帯電話機。
【請求項５】
前記ディスプレイスクリーンの円形の周囲で、互いに間隔をおいて凹面ホール（２５）が存在し、前記本体の上部部分上に複数の半隆起スプリングボール（２６）を取り付け；前記ディスプレイスクリーンを回転する際、前記ディスプレイスクリーンの背部の前記凹面ホール（２５）が前記本体上の前記半隆起スプリングボール（２６）に適合する場合、前記ディスプレイスクリーンが特定の角度にてロックされることを特徴とする請求項２に記載の携帯電話機。
【請求項６】
前記ディスプレイスクリーンの背部上に、前記本体上の制限ブロック（２８）に適合し、前記ディスプレイスクリーンが、左方向または右方向に９０°以上回転することを制限するように、半円形アーク型の溝（２７）が配置されていることを特徴とする請求項５に記載の携帯電話機。
【請求項７】
前記本体上に文字変化コントロールノブ（２９）が存在することを特徴とする請求項１に記載の携帯電話機。
【請求項８】
前記本体上に、コンピューターキーパッドの形状の機能タッチボタン（１３）が設けられており、前記ディスプレイを回転した後、該機能タッチボタン（１３）が出現することを特徴とする請求項１に記載の携帯電話機。
【請求項９】
前記本体上に隠れた映写ヘッドが設けられていることを特徴とする請求項１に記載の携帯電話機。
【請求項１０】
前記本体の背部上にブラケット（３０）が存在していることを特徴とする請求項１に記載の携帯電話機。
【発明の詳細な説明】
【０００１】
（本発明の技術分野）
本発明は、携帯通信分野に関し、さらに特に、回転可能ディスプレイスクリーンを有する携帯電話機に関する。
（本発明の背景）
今日、携帯通信装置のディスプレイスクリーンは、本体（つまり、ディスプレイ以外のその他の部品のすべて）に固定されている。かかる携帯電話機は、本体に相対して、平行してディスプレイスクリーンを回転することができない。
【０００２】
情報量の継続的な増加及び娯楽機能の継続的な向上に伴い、ユーザーは、携帯電話機のディスプレイスクリーンサイズが出来る限り大型であることを望んでいる。一般に、人の手掌に物体を保持するのに快適な幅は、４．５から６．５ｃｍである。物体の幅がこのサイズよりも大きいと、物体を保持した際、不快に感じ、長時間保持すると、疲れを感じる。このことは、携帯電話機のサイズを増加することに関し、「１」の形でまっすぐ伸びる方向に伸びることのみを強いることになる。ディスプレイスクリーンのサイズを増加させる結果として、ユーザーに移動及び情報の表示に関する要求を満足するが、ユーザーは、この携帯電話機を介して、ネットワーク映画及び文化的プログラムを見る一方で、ユーザーは、これを使用して、全体を見ることができない。なぜなら、スクリーンの水平方向のサイズは、垂直方向のサイズよりも小さく、ユーザーは、視覚の快楽を得ることができないためである。
【０００３】
今日の市場では、「１」型の水平的な様式にて表示される携帯電話機が登場してきた。この携帯電話機のディスプレイスクリーンを見る際、長さと幅との適度な比率及び良好な視界性にて、垂直方向よりも水平方向のサイズがより大きく、ユーザーの持つ視界に関する習慣に適合可能である。しかしながら、この種の携帯電話機を使用することは、横方向に保持したり手に挟んだりする必要があり、これは、手掌に物体を保持するのに快適な幅を超えてしまう。また、物体を保持する手と手腕との間に角度が形成されるので、この携帯電話機を使用する際、不快感及び疲れの両方を感じるであろう。さらに、制御に関し不便であり、安全性も良好ではない。
（本発明の概略）
本発明は、先行技術における問題を克服すべく、回転可能なディスプレイスクリーンを有する携帯電話機を供する。本発明は、ユーザーにおける視覚に関する要求性を満たし、かつ、最も快適な幅及び角度にて携帯電話機をユーザーが保持すべく、携帯電話機のディスプレイスクリーンを回転することが可能である。
【０００４】
本発明は、回転可能なディスプレイスクリーンを有する携帯電話機を供し、この携帯電話機は、本体及びディスプレイスクリーンを備え、このディスプレイスクリーンは、取り付け手段を介して本体に取り付けられており、ディスプレイスクリーンの映写面は、ディスプレイスクリーンの回転軸として機能している取り付け手段を以て本体に相対して平行に回転可能である。
【０００５】
本発明において、ディスプレイの背部では、縦方向に、溝２２を伴った押出シリンダー２０が存在している。この携帯電話機の本体の上部部分において、固定カードを保持するための垂直フルート２４を上部に有する凹面円形ホール２３が存在する。上述の取り付け手段は、ディスプレイスクリーンのシリンダー２０をこの凹面円形ホール２３に挿入することにより形成される。
【０００６】
本発明に従った、回転可能なディスプレイスクリーンを有する携帯電話機は、最も快適な幅にて物体を保持すべく、手掌に保持する親指とその他の指との間で形成される幅を作り出し、ユーザーにおける保持する習慣を満足させることが可能である。また、ディスプレイスクリーンを回転することは、垂直方向よりも水平方向のサイズをより大きくすることが可能であり、これにより、ユーザーの持つ視覚習慣を満足させる。通信操作の機能的なキー入力と組み合わせて、この携帯電話の本体上に、コンピューターキーパッドの形状の機能的なタッチボタンを用いることは、ユーザーの電話をダイアルする習慣に適合するのみならず、ネットワーク操作の速度を向上させることが可能である。
（図面の簡単な説明）
実施例とともに、本発明に従った回転可能なディスプレイスクリーンを有する携帯電話機を、添付した図面に関する記載とともに述べる。
（本発明の実施例に関する詳細な記載）
本発明に従った、回転可能ディスプレイスクリーンを有する携帯電話機を図１に示している。この携帯電話機は、ディスプレイスクリーン１２及び本体１１から構成されている。本発明が先行技術と異なる点は、本体１１に固定されているのに代えて、ディスプレイスクリーン１２が本体１１に取り付けられており、図２に示すように、取り付け手段を介して、本体に相対して、平行に回転可能であるという点である。このディスプレイスクリーンの水平及び垂直サイズに関する相対的なサイズは、ディスプレイスクリーンの回転に伴い交換配置されてもよい。なぜなら、このディスプレイスクリーンは、本体１１に相対して、縦方向又は横方向に配置可能であるためである。
【０００７】
一般に、本発明による携帯電話機は、通常の携帯電話機と同様の方法により使用される。このディスプレイスクリーンの面が本体に相対して平行に９０°の角度にて回転されると、ディスプレイスクリーンは、垂直的なスクリーンから水平的なスクリーンへと変更され、その水平サイズは、垂直サイズよりも大きくなり、ネットワーク映画や文化的プログラムを鑑賞する際、ユーザーの鑑賞習慣に適合するようになる。また、この携帯電話機の本体は、異なる鑑賞要件に適合すべく、異なる使用要件に従った異なる特性の種々のディスプレイスクリーンに交換可能なディスプレイスクリーンのプラットフォームとして使用されてもよい。本発明に従った携帯電話機の使用は、人間工学に適合する携帯電話機を保持する最良の様式を変更しないので、この機能は、簡便かつ都合よく制御可能である。
【０００８】
ここで図３から図５を参照すると、この携帯電話機のディスプレイスクリーンが本体に相対して平行に回転する方法を説明している。
【０００９】
図４を参照すると、ディスプレイスクリーンの背部には押出シリンダー２０が存在しており、かつ、この押出シリンダー２０の横の部分にてホール２１が存在している。このディスプレイスクリーンは、ホール２１を介して、本体のシステムのそれぞれに取り付けられる。シリンダー２０の縦方向には、ディスプレイスクリーンと本体とを取り付けるために使用される溝２２が存在している。
【００１０】
図５を参照すると、携帯電話機の本体の上部部分には、固定カードを保持する垂直フルート２４の上に凹面円形ホール２３が存在している。ディスプレイのシリンダー２０が携帯電話機の本体上のこの凹面円形ホール２３に挿入されると、シリンダー２０の溝２２は、本体の垂直フルート（ｆｌｕｔｅ）に平行して挿入され、固定カード２４により固定される。故に、ディスプレイスクリーンは、携帯電話機の本体に取り付けられ、本体に相対して回転するばかりでなく、移動することが可能となる。もし、より良好な鑑賞効果を得るべく、大型のディスプレイスクリーンに置き換えられる場合、固定カードのスプリングを外し、ディスプレイを、この携帯電話の本体から引抜き、かつ、置き換えることのみで済む。
【００１１】
このディスプレイスクリーンが特定の角度にて回転可能であり固定可能とすべく、ディスプレイスクリーンの背部上に円形で互いに間隔をおいて、凹面ホール２５が存在している。携帯電話機の本体の上部部分上には、複数の半隆起スプリングボールが取り付けられている。ディスプレイスクリーンが回転する際、ディスプレイスクリーンの背部上のこの凹面ホール２５が本体上の半隆起スプリングボール２６に適合されると、ディスプレイはロックされる。
【００１２】
同時に、ディスプレイスクリーンの面及び本体の面とで形成された形状は、９０°にて保持すべく、「Ｔ」型又はＴ型の片側の形状（「ｒ」（訳者注：この形状は、「Ｔ」という文字の右半分の形状として示している。以下、半Ｔ型又は「ｒ」型と略す。））「Ｔ」型又は半Ｔ型を示すかどうかは、ディスプレイスクリーンの背部上のシリンダーの特定の位置に主に依存する。シリンダー２０がディスプレイスクリーンの背部の中心部に位置する場合、ディスプレイスクリーン及び本体により表される形状は、「Ｔ」型と類似する。シリンダー２０がディスプレイスクリーンの背部の中央部分の最上部に存在する場合、ディスプレイスクリーンを９０°回転すると、ディスプレイスクリーンと本体とで表される形状は、半Ｔ型（「ｒ」）に類似する。完全な「Ｔ」型を所望する場合には、ディスプレイスクリーンをさらに上方へと移動させる必要がある。この場合、ディスプレイスクリーンの上方への移動に適合すべく、本体に垂直的な溝が必要である。
【００１３】
「Ｔ」型及び半Ｔ型（「ｒ」）の両構造は、通常のスタンディングタイプの携帯電話のみならず、ターニングオーバー型の携帯電話機（フォールドアップ型携帯電話機とも参照される）にも適合する。ターニングオーバー型携帯電話機のディスプレイスクリーンは、本体の操作部品に向かい合っている。「Ｔ」型又は半Ｔ型（「ｒ」）の形状は、ディスプレイと本体とを取り付けとして機能している軸の周囲にてディスプレイが回転した後、ディスプレイスクリーンと本体とで形成される。ディスプレイスクリーンの映写面の一つは、本体に相対して平行にディスプレイスクリーンを回転することによりのみ形成されてもよい。
【００１４】
本発明は、さらに、ディスプレイスクリーンが、９０°を超えて、左側及び右側にさらに回転することを阻止すべく向上されている。このことを達成すべく、本体上の制限ブロック２８に適合し、９０°以上にて左方向又は右方向へとディスプレイが回転することを制限すべく、ディスプレイの背部上に半円形アーク型の溝２７を配置している。この配置における制御的な観念は、ディスプレイが９０°回転される場合、ディスプレイスクリーンの背部上の半円形アーク状の溝２７の最終位置が携帯電話機の本体上の制限ブロックに突き当たり、ディスプレイがこれ以上回転しないようにしており、これにより、ディスプレイの最大回転角度を制限している。
【００１５】
携帯電話機の本体の上部部分上の文字変化コントロールノブ２９は、通常陥凹状態にある。ディスプレイスクリーンが９０°回転し、垂直位置から水平位置へと変更される場合、コントロールノブ２９は、自動的に陥凹状態から脱し、自動的にオリジナルの９０°の文字変化を行い、テキストを新しいフォーマットへとアレンジする一方で、スクリーンの文字変化システムを切り替える。
【００１６】
同時に、コンピューターキーパッドの形状の隠れた機能タッチボタン１３が出現する。この利点は、通信操作機能ボタンが、ユーザーにとって、このボタンの状態に応じて、便宜的に電話をかけることを容易にすることが明らかになるという点である。機能タッチボタン１３は、ディスプレイの背部に隠れる。かかる配置は、スクリーンのサイズを増加させることはなく、ディスプレイスクリーンの領域を増加するように、出来る限り携帯電話の前面部においてこの制御機能ボタン１４により占められる領域を減少させる。コンピューターキーパッドの形状のタッチボタン１３がクリックされ、触れられると、この配置はまた、携帯電話機のネットワーク制御を容易かつ迅速に行うことにもなる。二つのタイプのキーまたはボタンを組み合わせた、現れかつ隠されたキー又はボタンを操作することは、操作機能の要件を満足するのみならず、携帯電話機の制限された空間を十分利用することを可能とする。
【００１７】
また、隠れた映写ヘッド１５は、連結されるビデオ会議及びビデオ通信の両方を容易にする。結合ブラケット３０は、容易なビデオ鑑賞に関して種々の角度にて机上において携帯電話機を保持することが可能である。
【００１８】
さらに、金融分野、ショッピング、商行為、ネットワークなどの操作がより安全となるように、指紋情報送信手段が、この携帯電話機に装着されている。
【００１９】
さらに、グリーンエネルギー確保出力システムが装着されている。これは、太陽エネルギー電池に混合し、携帯電話の周囲の温度の際を感知する手段を混合している。
【００２０】
さらに、コンパクトな磁気ディスク再生手段をこの携帯電話機に装着しており、オリジナルの固体バッテリーの空間利用を最大限にしている。このことは、携帯電話機の保存性を向上するのみならず、娯楽を促進することを向上させている。
【００２１】
さらに、携帯電話機が所有者から一定の距離離れると、盗難防止手段がアラームを発生させ、携帯電話機の置き忘れの可能性を有意に減少させている。
【００２２】
本発明に従った回転可能ディスプレイスクリーンを有する携帯電話機は、携帯通信の末端ネットワーク操作を向上させ、将来、ビデオ鑑賞を向上させるべきデザインされている。使用時、鑑賞性の要求に応じて、ディスプレイを縦方向から横方向へと切り替えることは簡便である。また、携帯電話機の本体は、技術的なプラットフォームとして、異なる要求に応じて異なるサイズのディスプレイスクリーンに置き換えるのみならず、その他の検知機能を有するように、使用されてもよい。
【図面の簡単な説明】
【００２３】
【図１】本発明に従った、回転可能ディスプレイスクリーンを有する携帯電話機に関する正面図を示している。
【図２】本発明に従い、携帯電話の回転可能ディスプレイスクリーンと本体とが９０°の角度にある場合の概略図を示している。
【図３】ディスプレイスクリーンの背部の構造を示している。
【図４】ディスプレイスクリーンの側面図を示している。
【図５】本体の側面図を示している。
【国際公開パンフレット】
2005500787.tif 000003
2005500787.tif 000004
2005500787.tif 000005
2005500787.tif 000006
2005500787.tif 000007
2005500787.tif 000008
2005500787.tif 000009
2005500787.tif 000010
2005500787.tif 000011
2005500787.tif 000012
2005500787.tif 000013
【国際調査報告】
2005500787.tif 000014
2005500787.tif 000015
2005500787.tif 000016
2005500787.tif 000017